(57)【要約】      （修正有）【課題】着用時、腕を上げ易いシームレスニット、身頃への袖の接合強度の改善及び身頃への接合部の上部で袖に肩下がりを形成するニットガーメントとその編成方法及び編成プログラムの提供。【解決手段】身頃と筒状の袖とを無縫製で接合したニットガーメントにおいて、身頃の両脇側に脇側で高く胸や背側で低い突き出しを設け、この突き出しに左右の袖の下部を接合することにより、不着用の自然な状態で、身頃側から袖口へ向けて袖が上向きになるように編成する。【選択図】図１
2006183229.tif 000002
【特許請求の範囲】
【請求項１】
身頃と筒状の袖とを無縫製で接合したニットガーメントにおいて、
身頃の両脇側に脇側で高く胸や背側で低い突き出しを設け、この突き出しに左右の袖の下部を接合することにより、不着用の自然な状態で、身頃側から袖口へ向けて袖が上向きになるようにしたことを特徴とする、ニットガーメント。
【請求項２】
前記接合部の上部に、袖に増目する増目エリアを設けたことを特徴とする、請求項１のニットガーメント。
【請求項３】
前記突き出しが増目されて左右方向で脇の外側へ突き出していることを特徴とする、請求項１のニットガーメント。
【請求項４】
身頃を編成すると共に筒状の袖を編成して、身頃と袖とを接合するニットガーメントの編成方法において、
身頃の両脇側に引き返し編成により脇側で高く胸や背側で低い突き出しを設け、前記突き出しに袖の下部を接合することにより、不着用の自然な状態で、身頃側から袖口へ向けて袖が上向きになるニットガーメントを編成することを特徴とする、ニットガーメントの編成方法。
【請求項５】
前記接合と並行して袖に増目することを特徴とする、請求項４のニットガーメントの編成方法。
【請求項６】
前記突き出しを設ける際に、前記引き返し編成と、引き返し編成した編目群の脇の外側への移動と、移動により生じた空針に給糸して編目を形成することによる増目とを行って、該突き出しを左右方向で脇の外側へと突き出させることを特徴とする、請求項４のニットガーメントの編成方法。
【請求項７】
身頃を編成すると共に、筒状の袖を編成して、身頃と袖とを接合するニットガーメントの編成プログラムにおいて、
身頃の両脇側に引き返し編成により脇側で高く胸や背側で低い突き出しを編成するための命令と、前記突き出しに袖の下部を接合する命令とを設けて、不着用の自然な状態で、身頃側から袖口へ向けて袖が上向きになるニットガーメントを編成するようにしたことを特徴とする、ニットガーメントの編成プログラム。
【発明の詳細な説明】
【技術分野】
【０００１】
この発明はニットガーメントでの袖と身頃との接合に関する。
【背景技術】
【０００２】
特許文献１，２はシームレスニットにおける、袖の身頃へのマチを用いた接合を示している。ところで従来のニットガーメントでは、袖のラインはアームホールから袖口へ向けて下がるようになっている。しかしながらこれでは、腕を上げると、袖を本来とは異なる向きに曲げることになり、腕が上げにくい。
【特許文献１】ＷＯ  ２００１／８８２４３Ａ１
【特許文献２】ＷＯ  ２００２／６３０８５Ａ１
【発明の開示】
【発明が解決しようとする課題】
【０００３】
この発明の基本的課題は、
1)  自然な状態で袖が上向きになるニットガーメントとその編成方法、及び編成プログラムを提供すると共に、
2)  身頃への袖の接合強度を改善することにある。
この発明での追加の課題は、身頃への接合部の上部で袖に肩下がりを形成することにある。
【課題を解決するための手段】
【０００４】
この発明のニットガーメントは、身頃と筒状の袖とを無縫製で接合したニットガーメントにおいて、身頃の両脇側に脇側で高く胸や背側で低い突き出しを設け、この突き出しに左右の袖の下部を接合することにより、不着用の自然な状態で、身頃側から袖口へ向けて袖が上向きになるようにしたことを特徴とする。
【０００５】
好ましくは、前記接合部の上部に、袖に増目する増目エリア、例えば増目ラインを設ける。
また好ましくは、前記突き出しが増目されて左右方向で脇の外側へ突き出している。
【０００６】
この発明のニットガーメントの編成方法は、身頃を編成すると共に筒状の袖を編成して、身頃と袖とを接合するニットガーメントの編成方法において、身頃の両脇側に引き返し編成により脇側で高く胸や背側で低い突き出しを設け、前記突き出しに袖の下部を接合することにより、不着用の自然な状態で、身頃側から袖口へ向けて袖が上向きになるニットガーメントを編成することを特徴とする。
【０００７】
好ましくは、前記接合と並行して袖に増目する。
また好ましくは、前記突き出しを設ける際に、前記引き返し編成と、引き返し編成した編目群の脇の外側への移動と、移動により生じた空針に給糸して編目を形成することによる増目とを行って、該突き出しを左右方向で脇の外側へと突き出させる。
【０００８】
この発明のニットガーメントの編成プログラムは、身頃を編成すると共に、筒状の袖を編成して、身頃と袖とを接合するニットガーメントの編成プログラムにおいて、身頃の両脇側に引き返し編成により脇側で高く胸や背側で低い突き出しを編成するための命令と、前記突き出しに袖の下部を接合する命令とを設けて、不着用の自然な状態で、身頃側から袖口へ向けて袖が上向きになるニットガーメントを編成するようにしたことを特徴とする。
【発明の効果】
【０００９】
この発明では、身頃の両脇の突き出しにより、袖と身頃との接合ラインは脇側から身頃の内側へ向けて下向きになり、袖は自然と上向きとなる。この結果、不着用の自然な状態で袖が上向きのニットガーメントが得られ、スポーツウェアなどで腕を上向きにすることが多いニットガーメントに適している。突き出しの形状は三角形状や四角形状などとし、好ましくは突き出しの上部が脇のラインよりも身頃の外側に有るようにする。また四角形状の突き出しでは、上辺を底辺よりも狭くする。
この発明では、袖と身頃との接合ラインは身頃の脇側で突き出しのため下向きのエリアが生じ、袖が外側へ引かれた際に、１個所に力が集中せず、袖の下端などから傷み易い従来のガーメントに比べ、丈夫なガーメントとなる。
【００１０】
袖を突き出しに接合するのと並行して袖に増目をすると、袖の上部のラインが肩の部分でネックホールへ向けて上向きに傾斜し、肩下がりを形成できる。
また突き出しを増目して、突き出しが左右方向で脇の外側へ突き出すようにすると、脇下での袖と身頃の接合部により大きなゆとりが生じる。このためニットガーメントを着用して、腕を上に上げた際に、袖が脇下から下向きに引かれることが無く、より自然に袖を上へ上げることができる。
【００１１】
この発明では、引き返しにより身頃の両脇に突き出しを形成し、袖と身頃とをこの突き出しに沿って接合することにより、不着用の自然な状態で袖が上向きのニットガーメントを編成できる。
この発明では引き返しにより突き出しを形成するので、図１１に示すように、突き出しと袖との境界の全体を接合できる。これに対して引き返しを用いず、突き出しを例えば長方形の帯状に編成すると、帯状の突き出しの内側面の編目は針に係止されていないので、袖に接合できない。
ここで突き出しを編成する際に、引き返しによる編成と、引き返しで編成した編目群の少なくとも一部を脇の外側へ移動することと、移動によって生じた空針への増目を例えば繰り返して行うと、簡単に突き出しを左右方向で脇の外側へ突き出させることができる。
【発明を実施するための最良の形態】
【００１２】
以下に本発明を実施するための最適実施例を示す。
【実施例】
【００１３】
図１〜図９に、プルオーバを例に実施例とその変形を示す。左右は着用時を基準に、振りの方向は図での方向を基準に示す。図１〜図６において、２はプルオーバで、横編機によりネックホール等を除いて無縫製で編成され、４は筒状の身頃で、その左右両端の脇の上部に突き出し５，６がある。なお突き出し５，６は前身頃側と後身頃側とで例えば対称であるが、前後で非対称にしても良い。突き出し５，６は脇側で高く、胸や背中側で低く、例えば三角形状をしている。８，１０は左右の袖で、接合ライン１２により、袖８，１０の下部と突き出し５，６とを接合する。袖８，１０を突き出し５，６に接合するのと同時に、増目ライン１４で袖８，１０に増目を行う。また増目ライン１４は袖８，１０の後側にも同様に形成する。増目ライン１４は、接合ライン１２に沿った接合が終わった後も、胸や背中の中心側へ延びている。接合ライン１６は突き出し５，６が終わった領域での、袖８，１０と身頃４との接合ラインで、接合ライン１８は左右の袖８，１０間の接合ラインである。２０はネックホール，２２は襟で、ネックホール２０や襟２２は無縫製で形成しても、カットソーなどで形成しても良い。２４は肩下がりラインであり、増目ライン１４により形成され、２６は袖８，１０の中心の袖中心ラインである。このラインが上向きであることを、袖が上向きであるという。
【００１４】
図２に、右袖８の前部と身頃４との接合を示すが、これは右袖８の後部や、左袖１０側でも同様である。図２の鎖線は、袖８を身頃４に接合した後の形状である。身頃４の脇側には突き出し５があり、袖８，１０の身頃側には脇下Ｐから上部の部分に三角形状のカット部９がある。カット部９は、脇下Ｐを頂点として身頃側から袖の内側へ向けて、袖８，１０をカットした部分であり、袖８，１０の前袖側にも後袖側にも設ける。カット部９は袖８，１０を実際にカットしたものではなく、袖の編目を身頃の編目に接合することにより成形したものである。
【００１５】
図２のように、接合ライン１２で袖８と身頃４とを接合すると、突き出し５とカット部９のため、袖８は角度θだけ回転し、この結果、袖は内側を向く。そしてこの角度θは、突き出し５やカット部９の傾斜が大きいほど大きくなる。また増目ライン１４を設けて袖８に増目を行うことにより、ネックホール２０から袖８，１０の上部へと続く肩下がりライン２４を形成することができる。
【００１６】
図３はカット部９を設けていない変形例の袖２８を示す。突き出し５はこの場合も同様に設け、他の点では図１，図２の袖８と同様である。図３の袖２８ではカット部９がないため、袖２８が上を向く角度が小さく、袖２８を充分上向きにしたい場合、突き出し５，６の傾斜を急にすると良い。
【００１７】
図４に、身頃４に対する両袖８，１０の接合を示す。突き出し５，６は引き返しにより編成し、突き出し５，６の頂点とカット部９の頂点とが接合されて脇下となるようにして、接合ライン１２により接合する。また突き出し５，６や接合ライン１２，カット部９などは、プルオーバ２の前側と後側で例えば対称である。
【００１８】
図５に突き出し５，６を編成するための引き返し編成を示し、矢印は編成方向を示し、図の下から上へ編成する。図の実線は後編地の編成を、破線は前編地の編成を示し、タックを行う個所にはその記号を付してある。例えば図５の下部で、身頃４の右側に対して引き返しで徐々に編幅を小さくしながら突き出しを編成し、編成方向を変えて折り返す際にタックを行って、孔が空くのを防止する。次いで身頃の例えば左側に同様に突き出し６を編成し、前後の身頃の全体に渡って適宜のコース数を編成する。
【００１９】
図６に、右袖の身頃への接合を示すが、左袖の接合も同様である。図の実線は後袖関係の処理を、破線は前袖関係の処理を示し、編成を行う部分には”knit”と表示し、横向きの矢印は編成方向で、下から上向きに編成する。また１Ｐ，２Ｐなどの表示は袖のラッキングのピッチ数を示し、上向きや下向き、斜め上向き、斜め下向きの矢印は目移しの方向を示す。なお図６では、前後の下部ニードルベッドの他に、前後の上部ニードルベッドを設けた４枚ベッドの横編機を想定し、編成は例えば前後の下部ニードルベッドで行い、目移しは後下部ニードルベッドと前上部ニードルベッドの間、並びに前下部ニードルベッドと後上部ニードルベッドとの間で行うものとする。重ね目の形成個所並びに増目形成個所に記号を付してある。
【００２０】
例えば後袖を１コース編成し、後袖の全ての編目と右後身頃の脇側の最端部の編目１目とを対角線状に目移しし、１Ｐの記号を施した編目を、目移し前の位置に対して１ピッチ右側に振るように移し戻す。また右後身頃の最端部の編目は、元の針へと移し戻す。さらに２Ｐの記号を付した編目を、元の針位置から２ピッチ右側に移し戻す。この結果、右後身頃の最端部のウェールと右後袖の最も身頃側のウェールの付近に２目の２重目が形成される。続いて右後身頃の最端部と２重目の形成個所、並びに右後袖に例えば各１コース編成する。右後袖の編目の一部を２ピッチ移動させたことにより、空針が１針生じており、右後袖を編成した際に、空針に１目形成して、１目分の増目を行う。従ってこれらのステップで、重ね目が２目形成され、１目分の増目が行われ、袖の境界は１目分身頃の内側へと寄る。右前袖に対して同様の処理を行う。次いで右前袖の外側の端部を２目内側に寄せるように、右前袖の全ての編目と右前見頃の最端部の編目１目を目移しし、１Ｐの右移動や２ピッチの右移動と組み合わせて、２目の重ね目を形成する。さらに右後袖に対しても同様の処理を行い、身頃との境界部に２目の重ね目を作り、右前袖の外側の端部を２目内側に寄せる。これらの処理を繰り返し、さらに左袖に対しても同様の処理を行うと、接合ライン１２での接合を行うことができる。
【００２１】
これらの編成を行うと、ニードルベッド上には、身頃４と左右の両袖８，１０が全体として１つの大きな筒状として係止される。その後も増目ライン１４による増目を続行しながら両袖８，１０のみを編成し、これと並行して両袖８，１０の端部の編目を身頃４の編目と重ねて接合すると、接合ライン１６が得られる。接合ライン１６での接合が終了すると、ニードルベッド上には両袖８，１０の部分のみから成る筒が残り、これらを接合ライン１８で接合する。そして適宜の手法によりネックホール２０と襟２２を設けると、図１のプルオーバ２が完成する。実施例では、袖８，１０が身頃の中心で接合されるので、袖を前上方に上げるような時に、アームホールから接合部までの距離が長く、接合ライン１８に負荷が掛かりにくい。
【００２２】
図７に、変形例のプルオーバ３２を示すと、身頃４の両脇側に突き出し５，６を設け、袖３３，３４側には図２と同様のカット部を設けて、図６のようにして接合ライン１２で接合するところまでは図1と同様で、この例では増目ライン３５を設けなくても肩下がり２４を形成できる。接合ライン１２での接合を終わった後、身頃４を例えば四角形状に編成して編成部３７を設け、接合ライン３６で袖３３，３４と身頃４とをラグラン風に接合し、編成部３７を設けたことに伴い、減らしライン３９を設ける。
【００２３】
図８のプルオーバ４２では、接合ライン１２での接合を終了した後、編成部４５を編成しながら、セットインスリーブの場合のように、袖４３，４４を編成部４５に接合する。この結果、袖４３，４４と身頃４は接合ライン４６で接合され、４７はネックホール，４８は襟である。以上のように、突き出し５，６での接合を終了した後の、袖と身頃との接合形態には種々のものがあり、ここでの袖と身頃との編成の割合を変えることにより、言い換えると編成部３７，４５等の有無やその形状を変えることにより、種々の袖形状とすることができる。またプルオーバの前部と後側とで、袖の形状が異なっても良い。
【００２４】
図９に、プルオーバの編成プログラムを示す。このプログラムは、接合ライン１２の部分までの処理を示し、これ以降の処理は袖付けの形状により種々に変化し、上記の説明から自明である。身頃の編成命令９１では筒状の身頃を編成し、突き出しの編成命令９２では身頃の左右両端の脇側に、例えば前後対称な突き出しを引き返しにより編成する。両袖の編成命令９３では、左右の両袖を筒状に編成する。袖と身頃の接合命令９４では、袖の内寄せ命令９５により袖の編目を身頃の編目と重ねて接合を行い、袖の編成命令９６で袖とその周囲の身頃の部分とを所定コースずつ編成し、袖の増目命令９７で袖に増目を形成して増目ラインを形成する。
【００２５】
実施例の各プルオーバには以下の特徴がある。突き出し５，６とカット部９とのため、袖８，１０等は不着用な状態で自然に上向きとなる。図１の袖中心ライン２６と水平線との成す角度を上向きの角度とすると、この角度は例えば１０°〜９０°の任意の角度とすることができる。このため腕を上側に伸ばすことが多いスポーツ用のプルオーバとして最適となる。袖を引っ張る力が加わった際に、この力は突き出し５，６と袖との接合ライン１２の部分で緩和され、１点に集中しないので、脇下からプルオーバが破れるなどのことがない。このため耐久性にも優れている。なお突き出しやカット部を身頃や袖の前後で非対称にしても良い。
【００２６】
実施例ではプルオーバを例としたが、ワンピースやドレス，下着，スポーツウエアなどの適宜の用途に用いることができる。実施例のニットガーメントは、例えば袖を身頃に接合する部分までは無縫製で編成できるが、ネックホールや襟付けなどはカットソーを用いても良い。
【００２７】
図１０〜図１４に、第２の実施例を示す。図１〜図６で用いた符号に１００もしくは２００を加えた符号は同様のものを表し、図１〜図９の実施例に関する記載は、特に指摘した点以外は、図１０〜図１５の実施例にもそのまま当てはまる。
【００２８】
図１０〜図１５において、１０２はプルオーバで、１０４は身頃で、１０５，１０６は左右の突き出しで、脇の部分で身頃の胸側や背中側から脇側へ、言い換えると身頃１０４の内側から外側へ突き出すように設ける。突き出し１０５，１０６は四角形状で、また突き出し１０５，１０６の外側の端部は、身頃１０４の脇のラインＬ２よりも外側に突き出している。突き出し１０５，１０６は、身頃の左右端部の引き返し編成、引き返し編成した編目群の脇の外側への移動、移動により生じた空針への増目、の繰り返しで編成されている。その結果、突き出し１０５，１０６は身頃と袖の接合部で、図１の突き出し５，６よりも大きなゆとり（襠）として働き、プルオーバ１０２を着用して袖１０８，１１０を上に上げた際に、脇下から袖１０８，１１０が下向きに引かれることがない。１０８，１１０は袖で、突き出し１０５，１０６に対応した図示しないカット部を備え、１１２は突き出し１０５，１０６と袖１０８，１１０との接合ラインである。また１１６ａ，１１６ｂは、突き出し１０５，１０６以外の場所での、身頃１０４と袖１０８，１１０の接合ラインである。なお突き出し１０５，１０６の形状は例えば身頃１０４の前後左右で対称である。
【００２９】
図１１に示すように、接合ライン１１２は突き出し１０６等の上部の接合ライン１１２ａと、斜辺に沿った接合ライン１１２ｂとからなる。そして斜辺１１２ｂがラインＬ１に対して直角に上側に延びる場合と異なり、接合ライン１１２ａ，１１２ｂの全ての編目を袖１１０側の編目と接合できる。このため突き出し１０６での接合強度が高い。なおこの点は突き出し１０５に関しても同様である。接合ライン１１６ｂはラインＬ１に平行で、その目数は２目〜数十目程度とする。接合ライン１１２ｂから接合ライン１１６ａへと接合ラインが鋭角に変化することを中間の接合ライン１１６ｂで防止し、袖１１０を引っ張った際に特定な編目に力が集中することを防止する。この点は突き出し１０５側でも同様である。突き出し１０５，１０６は、身頃１０４のラインＬ１の上側の両端を、引き返しによる編成と、編成した編目の脇側への移動、及び移動によって生じた空針への増目を繰り返すと編成できる。
【００３０】
図１２の左側に、四角形状で脇のラインＬ２の外側へ延びていない突き出し２０６を示す。また図１２の右側に、上部の頂点が脇のラインＬ２よりも外側に延びている、三角形の突き出し２０７を示す。２１２，２１３は新たな接合ラインである。実施例の突き出し１０６と図１２の突き出し２０６を比較すると、突き出し１０６では四角形の頂点が脇のラインＬ２よりも外側に出ているので、袖１０８，１１０を自然に上側に向けやすい。また突き出し１０６を図１２の突き出し２０７と比較すると、接合ライン１１２は２つの線分で構成されているので、単純な線分の接合ライン２１３よりも、袖と身頃との接合強度が高くなる。さらに突き出し１０６は袖の内側に大きく入り込むので、ゆとりが大きく袖を上側に上げすい。
【００３１】
図１３に前身頃の突き出し１０５と、その背面の後身頃側の突き出しとの編成を示す。なおここではニードルベッドを４枚備えた横編機を想定し、実線は後身頃側の編成を、破線は前身頃側の編成を示す。また図の左の矢印はキャリッジの移動方向（編成方向）を示す。ステップ１で後身頃を編成し、ステップ２で前身頃を編成する。このようにして身頃１０４をラインＬ１まで例えば周回編成する。前身頃の突き出し１０５の部分を、対向する上側のニードルベッドへ目移しし、目移しした編目を図の左側に例えば１ピッチラッキングして元の針床に移し戻す（ステップ３，ステップ４）。同様に後身頃の突き出しを対向する上側のニードルベッドへ目移しし、例えば１ピッチ図の左側にラッキングさせて元のニードルベッドへ移し戻す（ステップ５，ステップ６）。
【００３２】
次にステップ７，ステップ８で後身頃の突き出しを１コース編成する。ステップ８の編成範囲の図での右端の針では、編目がステップ６で図の左側に１ピッチ移動済みなので、空針である。ステップ８ではこの空針に給糸してニットし、１目増目する。ステップ９でタックを行い、ステップ１０で再度１コース編成する。このようにして引き返しにより、後身頃側の突き出しを２コース編成すると共に、１ピッチ（１目分）脇ラインの外側へ移動させ、さらに１目増目する。前身頃側の突き出し１０５に対して、ステップ１１〜ステップ１４で同様に引き返し編成、脇ラインの外側への左右動、増目とを行い、ここでステップ１２でステップ４で生じた空針（ステップ１２の編成範囲の右端）に増目する。そしてステップ３〜ステップ１４までの編成を繰り返して、図１０の突き出し１０５を編成する。突き出し１０６やその背面の後身頃側の突き出しも同様に編成する。
【００３３】
図１４に、突き出し１０５，１０６と袖との接合を示す。１０５ｂ，１０６ｂは後身頃側の突き出しで、１０４ｂは後身頃、１０８ｂ，１１０ｂは後袖、Ｌ３は両袖の外側の端部ラインである。ステップ２１は接合前の状態で、ステップ２２で後袖１０８ｂを対向する上側のニードルベッドへ目移しし、ステップ２３で後身頃１０４ｂを図の左側へラッキングさせながら突き出し１０５ｂの編目を後袖１０８ｂの編目と重ねて、接合ライン１１２で接合する。ステップ２４で後袖１０８ｂを元のニードルベッドへ戻す。ステップ２５で前袖１０８を対向する上側のニードルベッドへ移動させる。
【００３４】
ステップ２６で前身頃１０４を図の左側へ相対移動させて、突き出し１０５を接合する。ステップ２７で後袖１１０ｂを対向する上側のニードルベッドへ目移しし、ステップ２８で後身頃１０４ｂを図の右側へ移動させながら突き出し１０６ｂを接合し、ステップ２９で後袖１１０ｂを元のニードルベッドへ移し戻す。ステップ３０で前袖１１０を対向する上側のニードルベッドへ移動させ、ステップ３１で、前身頃１０４を図の右側へ相対移動させながら突き出し１０６の部分で接合ライン１１２を形成し、前袖１１０を元のニードルベッドへ移動させる。これにより突き出しの上辺での袖と身頃の接合が完了する。ステップ３１以降は、図１１の接合ライン１１２ｂ、１１６ａ，１１６ｂに沿った接合と、袖や身頃の編成を行う。
【００３５】
図１５に、図１４のステップ２２，２３を詳細に示すが、編目の数は模式的に示してある。図１５の左側は後袖を図示しない突き出しへ接合する過程を示し、右端はガーメントの他端で前袖を１目ずつ後袖側へ回し込む過程を示す。図の１Ｐ等の記号は目移し時の左右動のピッチ（目数）である。図１５は下から上へと編成し、最初に後袖を１コース編成し、全後袖の編目と後身頃の突き出しの端部の１目のみを前側へ目移しする。次に後袖の例えば４目を１ピッチ右へ寄せて後側へ目移しし、ガーメントの他端の袖の編目を１目前側から後側へ目移しする。次に後身頃の端の編目（突き出しの編目）を後側へ目移しすることで１目２重目を形成し、後袖の編目を１目２ピッチ右へ寄せて後側へ目移しすることで、もう１つの２重目を形成する。
【００３６】
以上の過程で、後身頃側の突き出しの編目が１目と後袖の編目が１目減らされる。ガーメントの他端の袖の編目が１目後側へ回し込まれるので、前側でも後側でも編目は１目ずつ減少する。以下同様に、後袖の後身頃側の端部の例えば４目を編成し、この４目と後身頃の突き出しでの袖側端部の１目を前側に目移しする。次いで、前記の４目を１ピッチ右側に寄せるように後側へ目移しし、前記の１目を後側へ目移しして、２重目を１目形成する。さらに後袖の編目を１目２ピッチ右へ寄せて後側へ移動して、他の２重目を形成する。この途中でガーメントの他端の袖の編目を１目前側から後側へ目移しする。この過程を繰り返すと、突き出し１０５ｂの接合ができる。他の突き出しも同様に接合する。
【図面の簡単な説明】
【００３７】
【図１】実施例のプルオーバーの正面図
【図２】図１のプルオーバでの、マチによる身頃への袖の接合と、それに伴う袖の回転を、右袖分だけ示す図
【図３】変形例の袖形状を示す図
【図４】図１のプルオーバによる身頃への袖の接合を、前後の身頃と両袖に渡って示す図
【図５】図１のプルーオーバでの身頃の引き返し編成を示す図
【図６】図１のプルオーバでの、袖の身頃への接合を示す図
【図７】ラグランスタイルの袖形状をした実施例のプルオーバの正面図
【図８】セットインスタイルの袖形状をした実施例のプルオーバの正面図
【図９】実施例の編成プログラムのブロック図
【図１０】第２の実施例のプルオーバーの正面図
【図１１】第２の実施例での、身頃の突き出しと袖との接合部を示す図
【図１２】第２の実施例での突き出しの変形例を示す図
【図１３】第２の実施例での突き出しの引き返し編成を示す図
【図１４】第２の実施例での袖の身頃への接合を示す図
【図１５】第２の実施例でのステップ２２，２３の詳細説明図
【符号の説明】
【００３８】
２                プルオーバ
４                身頃
５，６            突き出し
８，１０          袖
９                カット部
１２              接合ライン
１４              増目ライン
１６，１８        接合ライン
２０              ネックホール
２２              襟
２４              肩下がりライン
２６              袖中心ライン
２８              袖
３２              プルオーバ
３３，３４        袖
３５              増目ライン
３６              接合ライン
３７              編成部
３９              減らしライン
４２              プルオーバ
４３，４４        袖
４５              編成部
４６              接合ライン
４７              ネックホール
４８              襟
９１              身頃の編成命令
９２              突き出しの編成命令
９３              両袖の編成命令
９４              袖と身頃の接合命令
９５              袖の内寄せ命令
９６              袖の編成命令
９７              袖の増目命令
Ｐ                脇下    
Ｌ１，Ｌ２，Ｌ３  ライン
１０２            プルオーバ
１０４            身頃
１０５，１０６    突き出し
１０８，１１０    袖
１１２，１１６    接合ライン
２０６，２０７    突き出し
２１２，２１３    接合ライン
ｓ３〜ｓ１４      突き出しの編成ステップ
ｓ２１〜ｓ３１    身頃の突き出しと袖の接合ステップ
【図１】
2006183229.tif 000003
【図２】
2006183229.tif 000004
【図３】
2006183229.tif 000005
【図４】
2006183229.tif 000006
【図５】
2006183229.tif 000007
【図６】
2006183229.tif 000008
【図７】
2006183229.tif 000009
【図８】
2006183229.tif 000010
【図９】
2006183229.tif 000011
【図１０】
2006183229.tif 000012
【図１１】
2006183229.tif 000013
【図１２】
2006183229.tif 000014
【図１３】
2006183229.tif 000015
【図１４】
2006183229.tif 000016
【図１５】
2006183229.tif 000017